(57)【要約】　　　（修正有）【課題】ストリーム損失に対して耐性のある、光記録媒体のデータセクタ内のフレームのアドレスを決定する方法を提案する。又、そのような方法を用いた光記録媒体からの読み出し及び／又は該光記録媒体への書き込みのための装置を提案する。【解決手段】方法は、先に検出された同期コードの履歴を保持するステップと、検出された同期コードを履歴に追加するステップ２と、最後の同期コードのパターンを同期コードの複数の有効パターンと比較するステップ３と、パターンが有効パターンと対応する場合、有効パターンと対応する有効フレームアドレスを送出するステップ４と、パターンが有効パターンと対応しない場合、エラーフレームアドレスを送出するステップ７とを有する。【選択図】　　　図１
2004039206.tif 000002
【特許請求の範囲】
【請求項１】
光記録媒体（１７）のデータセクタ内のフレームのアドレスを決定するための方法であって、該セクタは複数のフレームを有し、該各フレームは前記光記録媒体（１７）の再生中に検出（１）される同期コードにより先行される方法において、
先に検出された同期コードの履歴を保持するステップと、
前記検出された同期コードを前記履歴に追加するステップ（２）と、
最後の同期コードのパターンを同期コードの複数の有効パターンと比較するステップ（３）と、
前記パターンが有効パターンと対応する場合、前記有効パターンと対応する有効フレームアドレスを送出するステップ（４）と、
前記パターンが有効パターンと対応しない場合、エラーフレームアドレスを送出するステップ（７）と
を有することを特徴とする方法。
【請求項２】
先に検出された同期コードの前記履歴、前記最後の同期コードの前記パターン、及び同期コードの前記有効パターンの各々は、４つの同期コードを有することを特徴とする請求項１に記載の方法。
【請求項３】
前記最後の同期コードの前記パターンが有効パターンと対応しない場合、前記履歴を０にリセットするステップ（５）と、
リセット後に前記履歴に対してリセット保護をイネーブルするステップ（６）と、
前記最後の同期コードの前記パターンが次に有効パターンと対応するときには、リセット保護をディセーブルするステップと
を更に有することを特徴とする請求項１又は２に記載の方法。
【請求項４】
先に検出された同期コードの前記履歴は、シフトレジスタに保持されることを特徴とする請求項１から３のいずれか１項に記載の方法。
【請求項５】
同期コードの前記有効パターンは、テーブルに記憶されることを特徴とする請求項１から４のいずれか１項に記載の方法。
【請求項６】
前記エラーフレームアドレスは、前記最後の有効フレームアドレスに依存して予め規定された複数のフレームアドレスの１つであることを特徴とする請求項１から５のいずれか１項に記載の方法。
【請求項７】
光記録媒体（１７）のデータセクタ内のフレームのアドレスを決定する装置であって、該セクタは複数のフレームを有しており、該各フレームは、前記光記録媒体（１７）の再生中に検出された同期コードによって先行される装置において、
先に検出された同期コードの履歴を保持する手段と、
前記検出された同期コードを前記履歴に追加する手段と、
前記最後の同期コードのパターンを、異なるフレームアドレスと対応する同期コードの有効パターンと比較する比較器と、
現在のフレームのフレームアドレスを送出する出力と
を有することを特徴とする装置。
【請求項８】
前記送出されたフレームアドレスは、前記最後の同期コードのパターンが同期コードの前記有効パターンと対応すれば有効フレームアドレスであり、対応しなければ、エラーフレームアドレスであることを特徴とする請求項７に記載の装置。
【請求項９】
先に検出された同期コードの前記履歴を保持する手段は、シフトレジスタであることを特徴とする請求項８に記載の装置。
【請求項１０】
前記エラーフレームアドレスは、前記最後の有効フレームアドレスに依存して予め規定された複数のフレームアドレスの１つであることを特徴とする請求項８又は９に記載の装置。
【請求項１１】
同期コードの前記有効パターンを記憶するためのテーブルを更に有することを特徴とする請求項７から１０のいずれか１項に記載の装置。
【請求項１２】
光記録媒体（１７）からの読み出し及び／又は該光記録媒体（１７）への書き込みのための装置であって、請求項１から６のいずれか１項に記載のフレームアドレッシングのための方法を用いるか、又は請求項７から１１のいずれか１項に記載のフレームアドレッシングのための装置を有することを特徴とする装置。
【発明の詳細な説明】
【０００１】
【発明の属する技術分野】
本発明は、光記録媒体のデータセクタ内のフレームのアドレスを決定するための方法であって、該セクタは複数のフレームを有し、該各フレームは同期コードにより先行される方法と、そのような方法を用いた光記録媒体からの読み出し及び／又は該光記録媒体への書き込みのための装置とに関する。
【０００２】
【従来の技術】
ＤＶＤ（デジタルビデオディスク又はデジタルバーサタイルディスク）又はＳＡＣＤ（スーパーオーディオコンパクトディスク）のような光記録媒体に記憶されるデータは、複数の物理セクタから構成される。該各セクタは、２６個のフレームにより構成され、該フレームの各々の長さは９１データバイトである。それぞれのフレームは、全て、ＳＹ０〜ＳＹ７の８種類のうちの１つの同期コードにより先行され、該同期コードは、記録媒体上のデータを符号化するのに用いられる１６／８変調では発生しない。これらの同期コードは、下記のパターンでセクタ内に配置される。
【０００３】
【表１】
2004039206.tif 000003
【０００４】
よって、セクタを通して同期のシーケンスは
０　５　１　５　２　５　３　５　４　５　１　６　２　６　３　６　４　６　１　７　２　７　３　７　４　７
となる。同期コードの特殊な配列により、記録媒体に記憶されるデータを復号するためのデコーダは、それらのタイミングを容易に同期化したり、又はクロック消失後再同期化したりすることができる。
【０００５】
光記録媒体の再生中には、様々な欠陥が起こり得、位相ロックループ（ＰＬＬ）を基とする取得システムへの問題となる。障害検出器により検出されることのできる欠陥（例えばブラックドット又はシルバードット）が起こった場合は、ＰＬＬはフリーズされ、正しいフレーム番号が挿入される。しかし、障害検出器により検出されない欠陥（例えば割り込み）の場合は、ＰＬＬは外れることもあり、誤ったフレーム番号が挿入される。この問題はＰＬＬを基にした取得システムに固有のもので、次のセクタの開始までの間ストリーム損失が起こる。同期コードが挿入されたとき、又は誤った同期コードが検出されたときにも同じことが起こる。
【０００６】
【発明が解決しようとする課題】
従って、本発明の目的は、ストリーム損失に対して耐性のある、光記録媒体のデータセクタ内のフレームのアドレスを決定する方法を提案することである。本発明のもう１つの目的は、そのような方法を用いた光記録媒体からの読み出し及び／又は該光記録媒体への書き込みのための装置を提案することである。
【０００７】
【課題を解決するための手段】
本発明によると、光記録媒体のデータセクタ内のフレームのアドレスを決定するための方法であって、該セクタは複数のフレームを有し、該各フレームは光記録媒体の再生中に検出される同期コードにより先行される方法において、
先に検出された同期コードの履歴を保持するステップと、
検出された同期コードを履歴に追加するステップと、
最後の同期コードのパターンを同期コードの複数の有効パターンと比較するステップと、
パターンが有効パターンと対応する場合、前記有効パターンと対応する有効フレームアドレスを送出するステップと、
パターンが有効パターンと対応しない場合、エラーフレームアドレスを送出するステップと
を有することを特徴とする。
【０００８】
再生中に同期コードが検出されたときは、対応する３ビットの同期番号０〜７が先に検出された同期コードの履歴に追加される。その後、最後の同期コードのパターンは、複数の有効パターン、つまり異なるフレームアドレスと対応するパターンと比較される。比較した結果有効パターンであれば、対応するフレームアドレスが見つけられ、出力される。同期コードが挿入されるか、又は予期しない同期コードが用いられた場合は、最後の同期コードのパターンは有効パターンとは対応しない。その後、エラーフレームアドレスが送出される。最後の同期コードの次の有効パターンが見つけられるとすぐ次の有効フレームアドレスが送出される。つまり、ストリーミング損失がそのセクタ内において回復される。
【０００９】
先に検出された同期コードの履歴、最後の同期コードのパターン、及び同期コードの有効パターンのそれぞれは、４つの同期コードを有することが好ましい。そうすることにより、有効フレームアドレスが確実に見つけられることができるのと同時に、パターンの比較のための労力が少なくて済む。勿論、パターンの比較のために４つより少ない、又は４つより多い同期コードを用いることができる。しかし、同期コードが少ないと確実性が低くなり、同期コードが多いとパターン比較のための労力が増える。
【００１０】
本発明による方法は、
最後の同期コードのパターンが有効パターンと対応しない場合、履歴に保持される同期コードを０にリセットするステップと、
リセット後に履歴に対してリセット保護をイネーブルするステップと、
最後の同期コードのパターンが次に有効パターンと対応するときには、リセット保護をディセーブルするステップと
を更に有することが好ましい。
【００１１】
同期コードの履歴を０にリセットすることにより、誤った同期コードが２つ連続して履歴に保持されることを防ぐ。そうしなければ、これらの誤った同期コードの組合わせは、有効パターンを与えることがあり、よって不正なフレームアドレスを与えることがある。リセット保護をイネーブルすることにより、同期コードの次の有効パターンが検出される前に更にリセットされてしまうことを防ぐ。リセット保護がなければ、最初のリセットの後有効パターンをもはや検出することができない。
【００１２】
本発明によると、先に検出された同期コードの履歴はシフトレジスタに保持される。そうすることにより、先に検出された同期コードを記憶する量が少なくて済む。同期コードが検出されると、シフトレジスタの最初のスロットに配置され、先行の同期コード全てを１スロット押し出す。
【００１３】
同期コードの有効パターンはテーブルに記憶されることが好ましい。これは、最後の同期コードと有効パターンとを早く比較することを可能にする。
【００１４】
本発明によると、エラーフレームアドレスは、最後の有効フレームアドレスに依存して予め規定された複数のフレームアドレスの１つである。２つの予め規定されたフレームアドレスが使用され、該フレームアドレスの両方が有効フレームアドレスの領域外にあることが好ましい。２つのフレームアドレスを交互に用いることにより、正しい行アドレッシングが得られる。そのために、行番号は、先行の有効フレームアドレス又はエラーフレームアドレスの上位４ビットから得られ、また、次の行を指示する信号は、先行の有効フレームアドレス又はエラーフレームアドレスの最下位ビットの反転により得られる。
【００１５】
本発明のもう１つの特徴によると、光記録媒体のデータセクタ内のフレームのアドレスを決定する装置であって、該セクタは複数のフレームを有しており、該各フレームは、光記録媒体の再生中に検出された同期コードによって先行される装置において、
先に検出された同期コードの履歴を保持する手段と、
検出された同期コードを履歴に追加する手段と、
最後の同期コードのパターンを、異なるフレームアドレスと対応する同期コードの有効パターンと比較する比較器と、
現在のフレームのフレームアドレスを送出する出力と
を有することを特徴とする。
【００１６】
そのような装置は、ストリーミング損失が起こったセクタ内でストリーミング損失の回復が可能であるという利点がある。ストリーミング損失は、迅速に、また高度の確実性で回復される。
【００１７】
送出されたフレームアドレスは、最後の同期コードが有効パターンと対応すれば有効フレームアドレスであり、対応しなければ、エラーフレームアドレスであることが好ましい。これは、有効フレームアドレスと無効フレームアドレスとの確実な区別を可能にする。
【００１８】
先に検出された同期コードの履歴を保持する手段はシフトレジスタであることが好ましい。これは、記憶される同期コードが少なくて済み、記憶にかかる費用が低くなるという利点がある。
【００１９】
本発明によると、エラーフレームアドレスは、最後の有効フレームアドレスに依存して予め規定された複数のフレームアドレスの１つである。予め規定されたフレームアドレスが交互に用いられ、フレームアドレスの両方が有効フレームアドレスの領域外にある場合、正しい行アドレッシングが得られる。そのために、行番号は、先行の有効フレームアドレス又はエラーフレームアドレスの上位４ビットから得られ、また、次の行を指示する信号は、先行の有効フレームアドレス又はエラーフレームアドレスの最下位ビットの反転により得られる。
【００２０】
前記装置は、同期コードの有効パターンを記憶するためのテーブルを更に有することが好ましい。これは、最後の同期コードのパターンと有効パターンとの迅速な比較を可能にする。
【００２１】
本発明のもう１つの特徴によると、光記録媒体からの読み出し及び／又は該光記録媒体への書き込みのための装置は、本発明によるフレームアドレッシングのための方法を用いるか、又は、本発明によるフレームアドレッシングのための装置を有する。そのような装置は、ストリーミング損失が起こったセクタ内でストリーミング損失を回復させることが可能である。従って、再生中には、正しく読み出されたデータは誤った位置に書き込まれない。これは、当該エラー訂正の能力をより振り分けることができ、全体のパフォーマンスが向上するため、復号化において利点がある。
【００２２】
本発明の例示的な実施形態は、添付図面に関連して、好ましい方法の説明において詳述される。本発明は、これら例示的な実施形態に限定されるものではなく、これら詳述される特徴は、本発明の範囲から逸脱することなく組み合わせられ、及び／又は変更されることができる。
【００２３】
【発明の実施の形態】
図１は、本発明による方法のフローチャートを概略的に示す。光記録媒体１７からデータが再生されると、ステップ１では同期コードが検出される。同期コードが用いられると、ステップ２では、対応する同期番号が４ステップシフトレジスタに挿入される。ステップ３では、シフトレジスタに記憶される４つの同期番号のパターンが同期番号の有効パターンと比較される。パターンが有効パターンであれば、ステップ４で対応するフレームアドレスが見つけられる。このフレームアドレスは、その後ステップ８で出力される。一方、シフトレジスタに記憶されるパターンが有効パターンと対応しなければ、ステップ５ではシフトレジスタ内の数値は０にリセットされる。次の有効な同期コードのパターンが見つかる前の更なるリセットを防ぐために、ステップ６ではリセット保護がイネーブルになる。その後、２つの可能なエラーフレームのうちの１つが最後の有効フレームアドレスに依存して決定される。このエラーフレームアドレスは、ステップ８で出力される。よって、フレームアドレス出力は、正しいデータに対して連続した０を２５フレームのアドレスに提供する。障害検出器により検出できる欠陥（例えばブラックドット又はシルバードット）が起こった場合は、ＰＬＬがフレーズされフレームの正しい番号が挿入される。障害検出器により検出できない欠陥（例えば割り込み）が起こった場合は、ＰＬＬが外れ、欠陥が起きている間誤ったフレームの番号が挿入される。その後、最初の有効フレームアドレスがフレームアドレッシングを再同期化させる。より分かり易くするために、エラーフレームアドレスを３０と３１にしたときの例が下図に示される。
【００２４】
【表２】
2004039206.tif 000004
【００２５】
行アドレッシングを得るために、行番号は、フレームアドレスの上位４ビットから得られ、また、次の行を指示する信号は、フレームアドレスの最下位ビットの反転により得られる。行アドレッシングの導出は、上記例を用いて下図に示される。
【００２６】
【表３】
2004039206.tif 000005
【００２７】
図２は、本発明による装置２２を有する光記録媒体１７からの読み出し及び／又は該光記録媒体１７への書き込みのための装置１０を概略的に示す。レーザーダイオード１１は、コリメーティングレンズ１３によってコリメートされる光線１２を出力する。コリメートされた光線１２は、半透明ミラー１４を通過し、ミラー１５によって集束レンズ１６に導かれ、該集束レンズ１６は、光線１２を光記録媒体１７のトラック上に集束させる。光記録媒体１７は、光の一部を反射し、該光は、光記録媒体１７のトラックに記憶される情報に従って変調される。反射された光は、集束レンズ１６によりコリメートされ、ミラー１５により半透明ミラー１４に導かれる。半透明ミラー１４は、戻された光線１８の一部を更なる集束レンズ１９に偏向させ、該集束レンズ１９は、戻された光線１８を光検出器２０上に集束させる。光検出器２０は、戻された光線１８内に含まれる変調を検出し、よって、データ信号ＨＦとしての出力である、光記録媒体１７のトラックに記憶される情報を回復する。光検出器２０は、検出素子を複数有し、データシグナルＨＦと共にトラッキング及び集束に用いられるトラッキング及び集束エラー信号を発生させる。データ信号ＨＦは、本発明による装置２２を有するデータ取得システム２１へ入力される。データ取得システム２１は、データストリームＤＳを出力する。そのために、データ取得システム２１は、欠陥が検出された場合フレーム挿入を行う。更に、検出不可能な欠陥によってストリーミング損失が起きた場合、ストリーミング損失の回復は、装置２２を用いることによって得られる。
【図面の簡単な説明】
【図１】本発明による方法のフローチャートである。
【図２】本発明による装置を有する、光記録媒体からの読み出し及び／又は該光記録媒体への書き込みのための装置を示す図である。
【符号の説明】
１０　光記録媒体からの読み出し及び／又は該光記録媒体への書き込みのための装置
１１　レーザーダイオード
１２　光線
１３　コリメーティングレンズ
１４　半透明ミラー
１５　ミラー
１６、１９　集束レンズ
１７　光記録媒体
１８　戻された光線
２０　光検出器
２１　データ取得システム
２２　本発明による装置
【図１】
2004039206.tif 000006
【図２】
2004039206.tif 000007
【外国語明細書】
2004039206.tif 000008
2004039206.tif 000009
2004039206.tif 000010
2004039206.tif 000011
2004039206.tif 000012
2004039206.tif 000013
2004039206.tif 000014
2004039206.tif 000015
2004039206.tif 000016
2004039206.tif 000017
2004039206.tif 000018
2004039206.tif 000019
2004039206.tif 000020
2004039206.tif 000021
2004039206.tif 000022
2004039206.tif 000023
2004039206.tif 000024
2004039206.tif 000025
2004039206.tif 000026
2004039206.tif 000027
2004039206.tif 000028
2004039206.tif 000029
2004039206.tif 000030
2004039206.tif 000031